(57)【要約】  ビデオ取得方法及びスマートフォン、タブレット、デジタルカメラ又はデジタルカムコーダなどのポータブルビデオ取得デバイスが開示される。ポータブルビデオ取得デバイスに接続された表示スクリーン上にビデオフレームを表示する方法であって、ポータブルビデオ取得デバイスの向きがポータブルビデオ取得デバイスの基準の向きに関して縦長又は上下逆の横長であり、ポータブルビデオ取得デバイスが少なくとも１つのビデオフレームを取得している場合に、ビデオフレームとポータブルビデオ取得デバイスの向きを示す視覚表示とを表示スクリーン上に表示することを含む。
2018509800.tif 000002
【特許請求の範囲】
【請求項１】
ポータブルビデオ取得デバイスに接続された表示スクリーン上に少なくとも１つのビデオフレームを表示する方法であって、
前記方法は、前記ポータブルビデオ取得デバイスの向きが、前記ポータブルビデオ取得デバイスの基準の向きに対して縦長又は上下逆の横長であり、前記ポータブルビデオ取得デバイスが、少なくとも１つのビデオフレームを取得する場合に、前記少なくとも１つのビデオフレーム及び前記ポータブルビデオ取得デバイスの前記向きを示す視覚表示を前記表示スクリーン上に表示すること（Ｓ２）を含む、方法。
【請求項２】
前記ポータブルビデオ取得デバイスの前記向きは、前記ポータブルビデオ取得デバイスに組み込まれたセンサによって決定される、請求項１に記載の方法。
【請求項３】
前記センサがジャイロスコープである、請求項２に記載の方法。
【請求項４】
前記ポータブルビデオ取得デバイスの前記向きは、前記少なくとも１つのビデオフレームのビデオコンテンツの分析によって決定される、請求項１に記載の方法。
【請求項５】
前記視覚表示が、前記表示スクリーン上に表示される前記少なくとも１つのビデオフレームの上に表示されるシンボルである、請求項１乃至４のいずれかに記載の方法。
【請求項６】
前記視覚表示が、前記表示スクリーン上に表示される前記少なくとも１つのビデオフレームの修正である、請求項１乃至４のいずれかに記載の方法。
【請求項７】
ポータブルビデオ取得デバイス（１００）であって、
少なくとも１つのビデオフレームを取得するイメージ取得回路（１１０）と、
前記取得したビデオフレームを記憶するメモリ（１３０）と、
前記取得したビデオフレームを表示する表示スクリーン（１４０）と、
前記イメージ取得回路、前記メモリ及び前記表示スクリーンを制御する制御ユニット（１２０）と、
を備え、
前記制御ユニットは、
前記ポータブルビデオ取得デバイスの向きが、前記ポータブルビデオ取得デバイスの基準の向きに対して縦長又は上下逆の横長で、前記ポータブルビデオ取得デバイスが少なくとも１つのビデオフレームを取得している場合、前記少なくとも１つのビデオフレーム及び前記ポータブルビデオ取得デバイスの前記向きを示す視覚表示を前記表示スクリーン上に表示する、
ように構成される、ポータブルビデオ取得デバイス（１００）。
【請求項８】
前記ポータブルビデオ取得デバイスの向きを判定する向きセンサ（１５０）をさらに備え、前記向きが、前記視覚表示を表示するために前記制御ユニットに提供される、請求項７に記載のポータブルビデオ取得デバイス。
【請求項９】
前記向きセンサが、ジャイロスコープである、請求項８に記載のポータブルビデオ取得デバイス。
【請求項１０】
前記制御ユニットが、前記取得されたビデオフレームのビデオコンテンツを分析し、前記ポータブルビデオ取得デバイスの前記向きを決定するためのビデオ処理ユニットを備える、請求項７に記載のポータブルビデオ取得デバイス。
【発明の詳細な説明】
【技術分野】
【０００１】
本発明は、一般に、スマートフォン、タブレット、デジタルカメラ又はデジタルカムコーダ（digital  camcorders）などのポータブルビデオ取得デバイス（portable  video  capturing  devices：ポータブルビデオキャプチャリングデバイス）によってビデオを取得することに関連する。
【背景技術】
【０００２】
今日、多くのポータブルデバイスは、色々な向き（orientation：オリエンテーション）によってビデオフレームを取得することを許す。これは、特に、スマートフォン、タブレット、デジタルカメラ及びデジタルカムコーダの場合である。そのようなデバイスで、ビデオ取得デバイスを適切に回転させることによって、横長モード（landscape  mode：ランドスケープモード）又は縦長モード（portrait  mode：ポートレートモード）に従ってビデオフレームを取得することをユーザは、選ぶことができる。水平向き（horizontal  orientation）とも呼ばれる、基準の向き（reference  orientation）に従って自身のビデオ取得デバイスをユーザが保持するとき、ビデオフレームは、横長モードで取得される。そして、垂直向き（vertical  orientation）とも呼ばれる、基準の向きと垂直な向きに従って自身のビデオ取得デバイスをユーザが保持する場合、ビデオフレームは、縦長モードで取得される。
【０００３】
取得されたようにビデオ取得デバイスの表示スクリーン上に、ビデオフレームは表示される。取得（縦長モードでビデオフレームが取得される）の間、垂直向きでビデオ取得デバイスがユーザに保持されるとき、ビデオフレームは、ビデオ取得デバイスの表示スクリーン上に縦長モードで表示され、その結果、ユーザの期待に完全に一致する。
【０００４】
このことは、ユーザが縦長モードでビデオフレームを取得していることをユーザに気づかせない、又は実感させないようにしてしまう。このことは、１つ以上のビデオ取得デバイスによって取得された複数のビデオフレームからビデオクリップを編集するために使用される自動編集ソフトウェア（automatic  editing  software）などのポストプロセスアプリケーション（post-processing  applications）に関して問題があり得る。ビデオフレームを取得するときにデバイスの向きに関するメタデータをビデオフレームが含んでいない場合、それらが縦長モードで取得されたのに、横長モードで表示されるビデオフレームを含むビデオクリップの原因となる。
【０００５】
加えて、コンピュータスクリーン、ＴＶスクリーン及び映画のスクリーンなどの日々の生活で我々が使用するすべての大きなビデオスクリーンは、横長モードでビデオフレームを表示すると考えられている。そして、縦長モードで取得されたビデオフレームを見るために、それらの向きを替えることはできない。
【０００６】
同じ問題が、上下逆さまの位置（upside  down  position）で、自身のビデオ取得デバイスをユーザが保持するときに発生する。そのスクリーン上に表示する前に、ビデオ取得デバイスは、自動的に取得したイメージ（image）を１８０度回転させるので、ユーザは、上下逆さまの横長モードで自分がビデオフレームを取得していることに気付かない。
【０００７】
この問題に対処するためのいくつかの解決策が存在する。「水平取得アプリ（Horizon  Capture  App）」などのいくつかのアプリケーションは、デバイスによって取得されたイメージの一部のみを記録することによって垂直のビデオクリップをユーザが取得することを防止し、この一部は、デバイスによって実際に取得されたビデオと階層化された（layered）水平マスク（horizontal  mask）によって示される。そのような方法には、２つの主な欠点がある。第１に、取得されたピクセルの一部のみが、最終的な水平ビデオに存在するので、記録されたビデオは、デバイスセンサのフル解像度の利益を得られない。第２に、ユーザが自身のデバイスの小さい一部上に注目しなければならないので、その結果のビデオクリップは、ユーザがフルスクリーンに注目したときに取得されたビデオクリップよりもより不安定である。
【０００８】
また、米国特許出願公開第２００５／０２１２９３１Ａ１には、デジタルカメラにおいて、カメラの回転を検知し、修正する方法が記載されている。しかしながら、取得されたデジタルイメージの回転角度は、イメージから抽出されたライン（line：線）のセットに関して決定される。この方法は、修正されたデジタルイメージを記録する前に、回転角度を表示する、又は回転角度に基づいて取得されたデジタルイメージを修正することについて、さらに開示している。しかしながら、ラインのセットは、例えば、取得されたイメージにおける水平線（horizon）の代表であっても、そのような方法は、もしそれが取得デバイスの向きに関して横長上下逆モード又は縦長モードであることを知らせることができない。
【先行技術文献】
【特許文献】
【０００９】
【特許文献１】米国特許出願公開第２００５／０２１２９３１号明細書
【発明の概要】
【００１０】
本発明の目的は、上述の欠点を少なくとも部分的に回避する方法を提案することである。
【００１１】
本発明によれば、自身のデバイスを垂直ポジション又は上下逆のポジションに保持しているかにかかわらず、ユーザが取得した任意のビデオに対する関連情報をリアルタイムに表示することを提案する。直接の効果は、編集ビデオシーケンス内で後に再利用（reuse）することが難しく、最も普及したスクリーンのフォーマットに適合しない、ビデオフレームを自分が取得していることをユーザに警告することである。
【００１２】
本発明はポータブルビデオ取得デバイスに接続された表示スクリーン上に少なくとも１つのビデオフレームを表示する方法に関連し、ポータブルビデオ取得デバイスの向きが、ポータブルビデオ取得デバイスの基準の向きに対して縦長又は上下逆の横長であり、ポータブルビデオ取得デバイスが少なくとも１つのビデオフレームを取得している場合、少なくとも１つのビデオフレーム及びポータブルビデオ取得デバイスの向きを示す視覚表示を表示スクリーン上に表示することを含む。
【００１３】
それ故に、ポータブルビデオ取得デバイスのユーザは、もっとも普及しているスクリーンのフォーマットに適合せず及び／又はビデオ編集に使用するのが困難であり得る、縦長モード又は上下逆の横長モードでビデオフレームを取得していると警告を受ける。右縦長向き、又は上下逆の横長向き、左縦長向きは、それぞれ、ポータブルビデオ取得デバイスの基準横長向きに関してポータブルデバイスの角度が実質的に９０度又は１８０度又は２７０度に等しいか決定される。
【００１４】
そして、視覚表示を見ているとき、ユーザは、基準の向き（水平位置）にビデオ取得デイバスを戻すために、自身のビデオ取得デバイスを回転させないことを決定することができる。
【００１５】
この方法によって、ユーザは、自分が縦長モード又は上下逆の横長モードでビデオフレームを取得していることに気づく。別の利点は、それが本当に自身の意図の場合に、それらのモードで垂直のビデオクリップをユーザが取得することを、そのような警告（warning）は妨げない。
【００１６】
特定の実施形態によると、ポータブルビデオ取得デバイスの向きは、ポータブルビデオ取得デバイスに組み込まれるセンサによって決定される。
【００１７】
特定の実施形態によると、センサは、ジャイロスコープ（gyroscope）である。
【００１８】
特定の実施形態によると、ポータブルビデオ取得デバイスの向きは、少なくとも１つのビデオフレームのビデオコンテンツを分析することによって決定される。
【００１９】
特定の実施形態によると、視覚表示は、表示スクリーン上に表示される少なくとも１つのビデオフレームの上に表示されるシンボル（symbol）である。
【００２０】
特定の実施形態によると、視覚表示は、表示スクリーン上に表示される少なくとも１つのビデオフレームの変更（alteration）である。例えば、ビデオフレームの陰影付きのバージョン（shaded  version）は、表示スクリーン上に表示される。
【００２１】
本発明は、また、
・少なくとも１つのビデオフレームを取得するイメージ取得回路と、
・取得したビデオフレームを記憶するメモリと、
・取得したビデオフレームを表示する表示スクリーンと、
・イメージ取得回路、メモリ及び表示スクリーンを制御する制御ユニットと、
を備えたポータブルビデオ取得デバイスに関連し、
制御ユニットは、
・ポータブルビデオ取得デバイスの向きが、基準の向きから９０度又は１８０度又は２７０度に実質的に等しいか否か、及びポータブルビデオ取得デバイスが少なくとも１つのビデオフレームを取得しているか否かを判定し、この判定が満たすべき第１の条件及び第２の条件をそれぞれ構成し、
・第１の条件及び第２の条件を満たす場合、少なくとも１つのビデオフレームと、ポータブルビデオ取得デバイスの向きが基準の向きから９０度又は１８０度又は２７０度に実質的に等しいこと表示する視覚表示とを表示スクリーン上に表示する、言い換えれば、ポータブルビデオ取得デバイスの向きが、ポータブルビデオ取得デバイスの基準の向きに関して縦長又は上下逆の横長であり、ポータブルビデオ取得デバイスが少なくとも１つのビデオフレームを取得している場合に、少なくとも１つのビデオフレームとポータブルビデオ取得デバイスの向きを示す視覚表示とを表示するように制御ユニットは構成される。
【００２２】
特定の実施形態において、ポータブルビデオ取得デバイスは、さらにポータブルビデオ取得デバイスの向きを判定するための向きセンサを備え、ポータブルビデオ取得デイバスの向きが実質的に９０度又は１８０度又は２７０度に等しいか否かを判定するために制御ユニットに向きが提供される。
【００２３】
特定の実施形態において、向きセンサは、ジャイロスコープである。
【００２４】
別の実施形態において、制御ユニットは、取得したビデオフレームのビデオコンテンツを分析し、ポータブルビデオ取得デバイスの向きを決定するビデオ処理ユニットを備える。
【図面の簡単な説明】
【００２５】
本発明は、保護の範囲を制限しない、実例を与えることによって、以下の説明と図面を参照することによってより良く理解することができる。
【００２６】
【図１】本発明の実施形態による方法の連続するステップのフローチャートである。
【図２】本発明による視覚表示が重ね合わせられたビデオフレームである。
【図３】本発明の１つの実施形態によるポータブルビデオ取得デバイスの広範囲の構造の概略図である。
【発明を実施するための形態】
【００２７】
実施形態の例は、様々な修正や代替の形態が可能であり、一方、それらについての実施形態は、図面に例として示され、これから詳細に本明細書中で説明される。しかしながら、開示された特定の形態に実施形態の例を制限する意図はなく、一方、実施形態の例は、請求項の範囲に入る変形、均等物、代替物すべてをカバーすることを理解されたい。類似の番号は、図面の説明を通して類似の要素を指す。
【００２８】
実施形態の例をより詳細に検討する前に、いくつかの実施形態の例は、フローチャートとして表現されるプロセス又は方法として説明されることに留意されたい。フローチャートが連続するプロセスとして動作を説明していても、動作の多くは、並行して、並列に又は同時に実行することができる。その上、動作の順序は、再構成することができる。プロセスは、これらの動作が完了したときに終了することができ、しかし、図に含まれない追加のステップを有することもできる。プロセッサは、方法、機能、手順、サブルーチン、サブプログラムなどに対応することができる。
【００２９】
いくつかがフローチャートで説明される以下で検討する方法は、ハードウェア、ソフトウェア、ファームウェア、ミドルウェア、マイクロコード、ハードウェア記述言語、又はそれらの組合せによって実行することができる。ソフトウェア、ファームウェア、ミドルウェア又はマイクロコードとして実行されるとき、必要なタスクを実行するプログラムコード又はコードセグメントは、記憶媒体などのマシン又はコンピュータ読取可能媒体中に記憶することができる。プロセッサは、必要なタスクを実行することができる。本明細書に開示された特定の構造的及び機能的な詳細は、本発明の例となる実施形態を説明するための単なる代表である。この発明は、しかしながら、多くの代替の形式で具体化することができ、本明細書で説明した実施形態のみに制限するように解釈すべきではない。
【００３０】
本明細書で使用される専門用語は、特定の実施形態を説明する目的のみで使用され、例としての実施形態を制限する意図はない。本明細書で使用されるように、単数形、「１つの（ａ）」、「１つの（ａｎ）」及び「その、前記（ｔｈｅ）」は、文脈がそうではないことを明確に示さない限り、同様に複数形も含むことを意図する。用語「包含する（comprises）」、「包含している（comprising）」、「含む（includes）」及び／又は「含んでいる（including）」は、本明細書で使用されるとき、述べられた特徴、整数、ステップ、動作、要素及び／又はコンポーネントの存在を特定し、１つ以上の特徴、整数、ステップ、動作、要素、コンポーネント及び／又はそれらのグループの存在又は追加を除外するものではないことがさらに理解される。同様に、用語「接続された（coupled）」は、直接接続のみに限定するように解釈されるべきではない点に留意されたい。それ故に、「デバイスＢに接続されたデバイスＡ」という表現の範囲は、デバイスＡの出力がデバイスＢの入力に直接的に接続されているデバイス又はシステムに制限すべきではない。他のデバイス又は手段を含む経路であり得るデバイスＡの出力とデバイスＢの入力との間の経路が存在することを意味する。
【００３１】
加えて、ポータブルデバイスの「向き（orientation：オリエンテーション）」という用語は、取得するシーンに対するポータブルデバイスのイメージ取得回路（ＣＣＤ又はＣＭＯＳセンサ）の向きに関連する。それ故に、基準の向きは、デバイスの横長の向き（landscape  orientation）に対応するポータブルデバイス位置に関して決定される。ビデオフレームが横長モードで取得される場合、ポータブルビデオ取得デバイスは、基準の位置（又は水平位置）にある。ビデオフレームが縦長モードで取得される場合、ポータブルビデオ取得デバイスの向きは、基準の位置から実質的に９０度又は２７０度である。ビデオフレームが上下逆の横長モードで取得される場合、ポータブルビデオ取得デバイスの向きは、基準位置から実質的に１８０度である。
【００３２】
別段の定義がない限り、本明細書で使用されるすべての用語（技術用語及び科学用語を含む）は、実施形態の例が属する技術分野の当業者によって共通して理解されるのと同じ意味を持つ。例えば、通常使用される辞書に定義された用語は、関連する技術の文脈におけるそれらの意味と一致する意味を持つように解釈されるべきであり、本明細書でそのように明示的に定義されない限り、理想的な又は過剰にフォーマルなセンスで解釈されないことをさらに理解されたい。
【００３３】
図１は、本発明に従った方法のフローチャートを示す。
【００３４】
ステップＳ０で、ビデオ取得デバイスの向きの値（orientation  value）及び取得ステータス（capturing  status：キャプチャリングステータス）、オン又はオフが提供される。向きの値は、ポータブルビデオ取得デバイスに組み込まれた、例えば、ジャイロスコープなどの専用の向きセンサによって出力することができる。変形例としては、向きの値は、ビデオ取得デバイスによって取得されたビデオフレームのビデオコンテンツを分析することによって計算することができる。そのような変形例は、例えば、Yongmei  Michelle  Wand及びHongjiang  Zhangによる文献「Detecting  image  orientation  based  on  low-level  visual  content（ローレベルビジュアルコンテンツに基づくイメージの向きの検出）」、Computer  Vision  and  Image  Understanding  93  (2004)、３２８ページ〜３４６ページ（www.ElsevierComputerScience.comから入手可能）に開示された方法などの様々な方法によって実装することができる。この論文において、ビデオ取得デバイスのイメージセンサの向きは、ビデオ取得デバイスの向きと同一であるので、イメージの向きは、デバイスの向きとして解釈され得る。
【００３５】
ビデオフレームは、ポータブルビデオ取得デバイスによって横長モードで取得される場合、向きの値は、約０度である。ビデオフレームが縦長モードで取得される場合、向きの値は、約９０度又は約２７０度である。そして、ビデオフレームが上下逆の横長モードで取得される場合、向きの値は、約１８０度である。
【００３６】
取得ステータス、オン又はオフは、様々な方法によって検出することができる。この取得は、例えば、専用のアクセスプロトコルインタフェース（ＡＰＩ）を使ってビデオ取得デバイスのフレームメモリから読み取ることができる。ビデオフレームがこのメモリに現在記憶されている場合、それはビデオ取得デバイスが、ビデオフレームを取得していることを意味する。取得ステータスは、オンである。ビデオフレームが現在メモリに記憶されていない場合、取得ステータスはオフである。
【００３７】
ステップＳ１において、向きセンサによって提供される向きの値又は取得されたビデオフレームの内容分析によって計算された向きの値が、実質的に９０度、１８０度又は２７０度に等しく、ポータブルビデオ取得デイバスの取得ステータスがオンであるか否かが判定される。これらの２つの条件が満たされた場合、デバイス向きに関する視覚表示（visual  indication：ビジュアルインジケーション）が、ステップＳ２で、ビデオ取得デバイスに接続されたスクリーン上に表示される。このスクリーンは、ビデオ取得デバイスのスクリーン又はビデオ取得デバイスに接続されたスクリーンであり得る。
【００３８】
このように、もっとも普及しているスクリーンのフォーマットに適合せず、ビデオ編集に使用することが難しい可能性がある、縦長モード又は上下逆の横長モードで自分がビデオフレームを取得していることをユーザは知らされる。
【００３９】
そして、視覚表示を見ているとき、ユーザは、基準の向き（水平位置）にビデオ取得デイバスを戻すために、自身のビデオ取得デバイスを回転させないことを決定することができる。
【００４０】
視覚表示は、表示スクリーン上に表示されるビデオフレームの上に表示されるシンボルであり得る。この実施形態は、図２によって説明され、視覚表示は、ビデオフレームの中央に重ね合わされた半透明の「Ｖ」（垂直（Vertical）に対する）である。
【００４１】
このシンボルは、ユーザの注目を引くために常に点滅しても良い。
【００４２】
もちろん、視覚表示のサイズや位置は、変更し得る。
【００４３】
この視覚表示は、デバイスの向きが９０度、１８０度又は２７０度かに依存して多少異なっても良い。視覚表示は、９０度及び２７０度のデバイスの向きに対してＶであり、１８０度のデバイスの向きに対してはＵ（上下逆（upside-down）に対して）である。
【００４４】
別の実施形態において、視覚表示は、表示スクリーン上に表示されるビデオフレームの変形である。例えば、ビデオフレームの影付きバージョンが表示スクリーン上に表示される。
【００４５】
この視覚情報の表示は、ビデオ取得デバイスのメニューによって提案するオプションであっても良い。縦長モード又は上下逆の横長モードでの自身の取得の警告をユーザが受け取りたくない場合は、視覚情報の表示を無効にすることができる。
【００４６】
図３は、上述の方法を実行するように構成されたポータブルビデオ取得デバイス１００の典型的な構造を表す。デバイス１００は、下記を含む。
・ＣＣＤ（電荷結合素子）又はＣＭＯＳ（相補型金属酸化膜半導体）センサなどのビデオフレームを取得するイメージ取得回路１１０；
・例えば、ＣＰＵ、ＧＰＵ及び／又はビデオ取得デバイスを制御するためのＤＳＰ（デジタルシグナルプロセッサ（Digital  Signal  Processor）の英語の頭文字）などであり、このプロセッサは、ビデオ取得デバイスに対する制御ユニットである、１つ以上のプロセッサ１２０；
・取得されたビデオフレーム及びコンピュータプログラムを記憶する少なくとも１つのメモリ１３０であって、コンピュータプログラムは、デバイス１００、特にプロセッサ１２０によって実行されたときに、デバイス１００に図１を参照して上述した方法を実行させる、１つ以上のメモリ１３０；
・ステップＳ２を参照して説明された取得されたビデオフレーム及び視覚表示を表示する表示スクリーン１４０；
・ポータブルビデオ取得デバイスの向きを決定する、ジャイロスコープなどの向きセンサ１５０。
【００４７】
プロセッサ（又は制御ユニット）１２０がすべてのそれらの要素を制御できるように、すべてのこれらの要素は、バス１６０を経由して互いに接続される。
【００４８】
変形例において、ポータブルビデオ取得デバイスの向きの決定は、取得されたビデオフレームのビデオコンテンツの分析によって行われる。この分析は、プロセッサ１２０又は他の専用のプロセッサによって実行することができる。
【００４９】
典型的で制限的でない実施形態による、ポータブルビデオ取得デバイス１００は、下記を含むセットに属するデバイスである。
・スマートフォン；
・タブレット（又はタブレットコンピュータ）；
・ラップトップ；
・静止画カメラ；
・ビデオカメラ又はカムコーダー
【００５０】
本明細書で説明する実装は、例えば、方法又はプロセス、装置、ソフトウェアプログラム、データストリーム、又は信号として実装することができる。例え実装の単一の形態の文脈でのみ検討されたとしても（例えば、方法又はデバイスとしてのみ検討された）、検討した構成要素の実装は、他の形式でも実装され得る（例えば、プログラム）。装置は、例えば、適切なハードウェア、ソフトウェア、及びファームウェアにおいて実装することができる。方法は、例えば、コンピュータ、マイクロプロセッサ、集積回路、又はプログラマブルロジックデバイスを含む、一般に処理デバイスを指す、例えばプロセッサなどの装置として実装され得る。
プロセッサは、例えば、コンピュータ、携帯電話、ポータブル／パーソナルデジタルアシスタント（「ＰＤＡｓ」）、及びエンドユーザ間で情報の通信を容易にする他のデバイスなどの通信デバイスも含む。
【図１】
2018509800.tif 000003
【図２】
2018509800.tif 000004
【図３】
2018509800.tif 000005
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
ポータブルビデオ取得デバイスに接続された表示スクリーン上に少なくとも１つのビデオフレームを表示する方法であって、
前記方法は、前記ポータブルビデオ取得デバイスの向きが、前記ポータブルビデオ取得デバイスの基準の向きに対して縦長又は上下逆の横長であり、前記ポータブルビデオ取得デバイスが、少なくとも１つのビデオフレームを取得している場合に、前記少なくとも１つのビデオフレーム及び前記ポータブルビデオ取得デバイスの前記向きを示す視覚表示を前記表示スクリーン上に表示することを含み、
前記ポータブルビデオ取得デバイスの前記向きは、前記ポータブルビデオ取得デバイスに組み込まれたセンサによって決定される、方法。
【請求項２】
前記センサがジャイロスコープを含む、請求項１に記載の方法。
【請求項３】
前記視覚表示が、前記表示スクリーン上に表示される前記少なくとも１つのビデオフレームの上に表示されるシンボルである、請求項１又は２に記載の方法。
【請求項４】
前記視覚表示が、前記表示スクリーン上に表示される前記少なくとも１つのビデオフレームの修正である、請求項１又は２に記載の方法。
【請求項５】
ポータブルビデオ取得デバイスであって、
少なくとも１つのビデオフレームを取得するイメージ取得回路と、
前記取得したビデオフレームを記憶するメモリと、
前記取得したビデオフレームを表示する表示スクリーンと、
前記ポータブルビデオ取得デバイスの向きを判定する向きセンサと、
前記イメージ取得回路、前記メモリ及び前記表示スクリーンを制御する制御ユニットと、
を備え、
前記制御ユニットは、
前記ポータブルビデオ取得デバイスの向きが、前記ポータブルビデオ取得デバイスの基準の向きに対して縦長又は上下逆の横長で、前記ポータブルビデオ取得デバイスが少なくとも１つのビデオフレームを取得している場合、前記少なくとも１つのビデオフレーム及び前記ポータブルビデオ取得デバイスの前記向きを示す視覚表示を前記表示スクリーン上に表示する、
ように構成される、ポータブルビデオ取得デバイス。
【請求項６】
前記向きセンサが、ジャイロスコープを含む、請求項５に記載のポータブルビデオ取得デバイス。
【請求項７】
前記視覚表示が、前記表示スクリーン上に表示される前記少なくとも１つのビデオフレームの上に表示されるシンボルである、請求項５又は６に記載のポータブルビデオ取得デバイス。
【請求項８】
前記視覚表示が、前記表示スクリーン上に表示される前記少なくとも１つのビデオフレームの修正である、請求項５又は６に記載のポータブルビデオ取得デバイス。
【請求項９】
ポータブルビデオ取得デバイスによって少なくも１つのビデオフレームを取得し、前記ポータブルビデオ取得デバイスの向きが、前記ポータブルビデオ取得デバイスの基準の向きに対して縦長又は上下逆の横長であり、前記ポータブルビデオ取得デバイスが、少なくとも１つのビデオフレームを取得している場合に、前記少なくとも１つのビデオフレーム及び前記ポータブルビデオ取得デバイスの前記向きを示す視覚表示を前記表示スクリーン上に表示するための、少なくとも１つのプロセッサによって実行可能なプログラムコード命令を含むコンピュータプログラムであって、
前記ポータブルビデオ取得デバイスの前記向きは、前記ポータブルビデオ取得デバイスに組み込まれたセンサによって決定される、コンピュータプログラム。
【手続補正２】
【補正対象書類名】明細書
【補正対象項目名】００５０
【補正方法】変更
【補正の内容】
【００５０】
本明細書で説明する実装は、例えば、方法又はプロセス、装置、ソフトウェアプログラム、データストリーム、又は信号として実装することができる。例え実装の単一の形態の文脈でのみ検討されたとしても（例えば、方法又はデバイスとしてのみ検討された）、検討した構成要素の実装は、他の形式でも実装され得る（例えば、プログラム）。装置は、例えば、適切なハードウェア、ソフトウェア、及びファームウェアにおいて実装することができる。方法は、例えば、コンピュータ、マイクロプロセッサ、集積回路、又はプログラマブルロジックデバイスを含む、一般に処理デバイスを指す、例えばプロセッサなどの装置として実装され得る。
プロセッサは、例えば、コンピュータ、携帯電話、ポータブル／パーソナルデジタルアシスタント（「ＰＤＡｓ」）、及びエンドユーザ間で情報の通信を容易にする他のデバイスなどの通信デバイスも含む。
ここで例としていくつかの付記を記載する。
（付記１）
ポータブルビデオ取得デバイスに接続された表示スクリーン上に少なくとも１つのビデオフレームを表示する方法であって、
前記方法は、前記ポータブルビデオ取得デバイスの向きが、前記ポータブルビデオ取得デバイスの基準の向きに対して縦長又は上下逆の横長であり、前記ポータブルビデオ取得デバイスが、少なくとも１つのビデオフレームを取得している場合に、前記少なくとも１つのビデオフレーム及び前記ポータブルビデオ取得デバイスの前記向きを示す視覚表示を前記表示スクリーン上に表示すること（Ｓ２）を含む、方法。
（付記２）
前記ポータブルビデオ取得デバイスの前記向きは、前記ポータブルビデオ取得デバイスに組み込まれたセンサによって決定される、付記１に記載の方法。
（付記３）
前記センサがジャイロスコープである、付記２に記載の方法。
（付記４）
前記ポータブルビデオ取得デバイスの前記向きは、前記少なくとも１つのビデオフレームのビデオコンテンツの分析によって決定される、付記１に記載の方法。
（付記５）
前記視覚表示が、前記表示スクリーン上に表示される前記少なくとも１つのビデオフレームの上に表示されるシンボルである、付記１乃至４のいずれかに記載の方法。
（付記６）
前記視覚表示が、前記表示スクリーン上に表示される前記少なくとも１つのビデオフレームの修正である、付記１乃至４のいずれかに記載の方法。
（付記７）
ポータブルビデオ取得デバイス（１００）であって、
少なくとも１つのビデオフレームを取得するイメージ取得回路（１１０）と、
前記取得したビデオフレームを記憶するメモリ（１３０）と、
前記取得したビデオフレームを表示する表示スクリーン（１４０）と、
前記イメージ取得回路、前記メモリ及び前記表示スクリーンを制御する制御ユニット（１２０）と、
を備え、
前記制御ユニットは、
前記ポータブルビデオ取得デバイスの向きが、前記ポータブルビデオ取得デバイスの基準の向きに対して縦長又は上下逆の横長で、前記ポータブルビデオ取得デバイスが少なくとも１つのビデオフレームを取得している場合、前記少なくとも１つのビデオフレーム及び前記ポータブルビデオ取得デバイスの前記向きを示す視覚表示を前記表示スクリーン上に表示する、
ように構成される、ポータブルビデオ取得デバイス（１００）。
（付記８）
前記ポータブルビデオ取得デバイスの向きを判定する向きセンサ（１５０）をさらに備え、前記向きが、前記視覚表示を表示するために前記制御ユニットに提供される、付記７に記載のポータブルビデオ取得デバイス。
（付記９）
前記向きセンサが、ジャイロスコープである、付記８に記載のポータブルビデオ取得デバイス。
（付記１０）
前記制御ユニットが、前記取得されたビデオフレームのビデオコンテンツを分析し、前記ポータブルビデオ取得デバイスの前記向きを決定するためのビデオ処理ユニットを備える、付記７に記載のポータブルビデオ取得デバイス。
【国際調査報告】
2018509800.tif 000006
2018509800.tif 000007